(57)【特許請求の範囲】
【請求項１】
メッセージ遅延プロファイルを生成するための範囲を示すメッセージサーチ範囲が、プリアンブル遅延プロファイルを生成するための範囲を示すプリアンブルサーチ範囲より狭いパスサーチ装置において、
前記プリアンブルサーチにより検出された有効なプリアンブルパスの中で相関値が最大のパス（最大相関パス）を検出する最大相関パス検出手段と、
前記最大相関パスのパス位置が、規定された位置となるようにメッセージサーチ範囲を決定するメッセージサーチ範囲決定手段と、
前記メッセージサーチ範囲に基づいたメッセージサーチにより有効なメッセージパスを検出するメッセージパス検出手段と、
前記プリアンブルパスから前記メッセージサーチ範囲のパスを除去するメッセージサーチ範囲除去手段と、
前記除去後のプリアンブルパスにおいて、相関値が上位の所定数のパスを優先パスとし、その他のパスを非優先パスとするパス判別手段と、
前記優先パスと前記メッセージパスをメッセージ復調用のパスとし、さらに、パス数が復調リソース数未満の場合、復調リソース数に達するまで、相関値が上位のパスから順次、前記非優先パスをメッセージ復調用のパスとして追加するパス決定手段と、
を備えることを特徴とするパスサーチ装置。
【請求項２】
さらに、前記メッセージサーチ範囲に存在するプリアンブルパスの中で相関値が最も大きいパスのパス位置と、前記メッセージパスの中で相関値が最も大きいパスのパス位置と、の差分であるパス位置の変動量を計算するパス位置変動量計算手段と、
前記パス位置変動量に基づいて前記プリアンブルパスの各パス位置の変動量を補正する変動量補正手段と、
を備え、
前記メッセージサーチ範囲除去手段は、前記補正後のプリアンブルパスから前記メッセージサーチ範囲のパスを除去することを特徴とする請求項１に記載のパスサーチ装置。
【請求項３】
さらに、前記メッセージサーチ範囲に基づいたメッセージサーチにより有効なメッセージパスを検出するメッセージパス検出手段と、
メッセージパスのレベルをプリアンブルパスのレベルに補正する補正手段と、
前記メッセージサーチ範囲に存在するプリアンブルパスを、前記補正後のメッセージパスに差し替える差し替え手段と、
前記差し替え後のパスを相関値が大きいパスから順にメッセージ復調用パスとするパス決定手段と、
を備えることを特徴とする請求項１または２に記載のパスサーチ装置。
【請求項４】
メッセージ遅延プロファイルを生成するための範囲を示すメッセージサーチ範囲が、プリアンブル遅延プロファイルを生成するための範囲を示すプリアンブルサーチ範囲より狭いパスサーチ装置において、
前記プリアンブルサーチにより検出された有効なプリアンブルパスの中で相関値が最大のパス（最大相関パス）を検出する最大相関パス検出手段と、
前記最大相関パスのパス位置が、規定された位置となるようにメッセージサーチ範囲を決定するメッセージサーチ範囲決定手段と、
前記メッセージサーチ範囲に基づいたメッセージサーチにより有効なメッセージパスを検出するメッセージパス検出手段と、
メッセージパスのレベルをプリアンブルパスのレベルに補正する補正手段と、
前記メッセージサーチ範囲に存在するプリアンブルパスを、前記補正後のメッセージパスに差し替える差し替え手段と、
前記差し替え後のパスを相関値が大きいパスから順にメッセージ復調用パスとするパス決定手段と、
を備えることを特徴とするパスサーチ装置。
【請求項５】
さらに、前記メッセージサーチ範囲に存在するプリアンブルパスの中で相関値が最も大きいパスのパス位置と、前記メッセージパスの中で相関値が最も大きいパスのパス位置と、の差分であるパス位置の変動量を計算するパス位置変動量計算手段と、
前記パス位置変動量に基づいて前記プリアンブルパスの各パス位置の変動量を補正する変動量補正手段と、
を備え、
前記差し替え手段は、前記メッセージサーチ範囲に存在する前記補正後のプリアンブルパスを、前記補正後のメッセージパスに差し替えることを特徴とする請求項３または４に記載のパスサーチ装置。
【請求項６】
さらに、前記最大相関パスに基づいて所定のしきい値を決定するしきい値決定手段と、
前記プリアンブルパスの相関値が前記しきい値を超えているかどうかを判定するしきい値判定手段と、
前記しきい値を超えるプリアンブルパスがある場合に、その中で相関値が最大となるパスの位置を最大パス位置とし、相関値が最小となるパスの位置を最小パス位置とし、最大パス位置と最小パス位置の中央位置を検出する中央位置検出手段と、
を備え、
前記メッセージサーチ範囲決定手段は、前記中央位置が規定された位置となるようにメッセージサーチ範囲を決定することを特徴とする請求項１〜５のいずれか一つに記載のパスサーチ装置。
【請求項７】
メッセージ遅延プロファイルを生成するための範囲を示すメッセージサーチ範囲が、プリアンブル遅延プロファイルを生成するための範囲を示すプリアンブルサーチ範囲より狭いパスサーチ装置において、
前記プリアンブルサーチにより検出された有効なプリアンブルパスの位置が、それぞれ規定された位置となるようにメッセージサーチ範囲を決定するメッセージサーチ範囲決定手段と、
それぞれ対応するメッセージサーチ範囲に従って、サンプル毎に受信信号とメッセージサーチ用コードとの相関値を計算し、プリアンブルパス単位のメッセージ遅延プロファイルを生成する複数のメッセージ遅延プロファイル生成手段と、
前記プリアンブルパス単位のメッセージ遅延プロファイルを統合する統合手段と、
前記統合後のメッセージ遅延プロファイルから有効なパスを抽出し、抽出したパスをメッセージ復調用パスとするメッセージパス検出手段と、
を備えることを特徴とするパスサーチ装置。
【請求項８】
メッセージ遅延プロファイルを生成するための範囲を示すメッセージサーチ範囲が、プリアンブル遅延プロファイルを生成するための範囲を示すプリアンブルサーチ範囲より狭い場合のパスサーチ方法において、
前記プリアンブルサーチにより検出された有効なプリアンブルパスの中で相関値が最大のパス（最大相関パス）を検出し、当該最大相関パスのパス位置が、規定された位置となるようにメッセージサーチ範囲を決定するメッセージサーチ範囲決定ステップと、
前記メッセージサーチ範囲に基づいたメッセージサーチにより有効なメッセージパスを検出するメッセージパス検出ステップと、
前記プリアンブルパスから前記メッセージサーチ範囲のパスを除去し、当該除去後のプリアンブルパスにおいて、相関値が上位の所定数のパスを優先パスとし、その他のパスを非優先パスとするパス判別ステップと、
前記優先パスをメッセージ復調用のパスとし、次に前記メッセージパスをメッセージ復調用のパスとして追加し、さらに、パス数が復調リソース数未満の場合、復調リソース数に達するまで、相関値が上位のパスから順次、前記非優先パスをメッセージ復調用のパスとして追加するパス決定ステップと、
を含むことを特徴とするパスサーチ方法。
【請求項９】
メッセージ遅延プロファイルを生成するための範囲を示すメッセージサーチ範囲が、プリアンブル遅延プロファイルを生成するための範囲を示すプリアンブルサーチ範囲より狭い場合のパスサーチ方法において、
前記プリアンブルサーチにより検出された有効なプリアンブルパスの中で相関値が最大のパス（最大相関パス）を検出し、当該最大相関パスのパス位置が、規定された位置となるようにメッセージサーチ範囲を決定するメッセージサーチ範囲決定ステップと、
前記メッセージサーチ範囲に基づいたメッセージサーチにより有効なメッセージパスを検出するメッセージパス検出ステップと、
前記メッセージサーチ範囲に存在するプリアンブルパスの中で相関値が最も大きいパスのパス位置と、前記メッセージパスの中で相関値が最も大きいパスのパス位置と、の差分であるパス位置の変動量を計算するパス位置変動量計算ステップと、
前記パス位置変動量に基づいて前記プリアンブルパスの各パス位置の変動量を補正する変動量補正ステップと、
前記補正後のプリアンブルパスから前記メッセージサーチ範囲のパスを除去し、当該除去後のプリアンブルパスにおいて、相関値が上位の所定数のパスを優先パスとし、その他のパスを非優先パスとするパス判別ステップと、
前記優先パスをメッセージ復調用のパスとし、次に前記メッセージパスをメッセージ復調用のパスとして追加し、さらに、パス数が復調リソース数未満の場合、復調リソース数に達するまで、相関値が上位のパスから順次、前記非優先パスをメッセージ復調用のパスとして追加するパス決定ステップと、
を含むことを特徴とするパスサーチ方法。
【請求項１０】
メッセージ遅延プロファイルを生成するための範囲を示すメッセージサーチ範囲が、プリアンブル遅延プロファイルを生成するための範囲を示すプリアンブルサーチ範囲より狭い場合のパスサーチ方法において、
前記プリアンブルサーチにより検出された有効なプリアンブルパスの中で相関値が最大のパス（最大相関パス）を検出し、当該最大相関パスに基づいて所定のしきい値を決定し、さらに、相関値が前記しきい値を超えるプリアンブルパスがある場合に、その中で相関値が最大となるパスの位置と相関値が最小となるパスの位置との中央位置を検出し、当該中央位置が規定された位置となるようにメッセージサーチ範囲を決定するメッセージサーチ範囲決定ステップと、
前記メッセージサーチ範囲に基づいたメッセージサーチにより有効なメッセージパスを検出するメッセージパス検出ステップと、
前記プリアンブルパスから前記メッセージサーチ範囲のパスを除去し、当該除去後のプリアンブルパスにおいて、相関値が上位の所定数のパスを優先パスとし、その他のパスを非優先パスとするパス判別ステップと、
前記優先パスをメッセージ復調用のパスとし、次に前記メッセージパスをメッセージ復調用のパスとして追加し、さらに、パス数が復調リソース数未満の場合、復調リソース数に達するまで、相関値が上位のパスから順次、前記非優先パスをメッセージ復調用のパスとして追加するパス決定ステップと、
を含むことを特徴とするパスサーチ方法。
【請求項１１】
メッセージ遅延プロファイルを生成するための範囲を示すメッセージサーチ範囲が、プリアンブル遅延プロファイルを生成するための範囲を示すプリアンブルサーチ範囲より狭い場合のパスサーチ方法において、
前記プリアンブルサーチにより検出された有効なプリアンブルパスの中で相関値が最大のパス（最大相関パス）を検出し、当該最大相関パスのパス位置が、規定された位置となるようにメッセージサーチ範囲を決定するメッセージサーチ範囲決定ステップと、
前記メッセージサーチ範囲に基づいたメッセージサーチにより有効なメッセージパスを検出するメッセージパス検出ステップと、
メッセージパスのレベルをプリアンブルパスのレベルに補正する補正ステップと、
前記メッセージサーチ範囲に存在するプリアンブルパスを、前記補正後のメッセージパスに差し替える差し替えステップと、
前記差し替え後のパスを相関値が大きいパスから順にメッセージ復調用パスとするパス決定ステップと、
を含むことを特徴とするパスサーチ方法。
【請求項１２】
メッセージ遅延プロファイルを生成するための範囲を示すメッセージサーチ範囲が、プリアンブル遅延プロファイルを生成するための範囲を示すプリアンブルサーチ範囲より狭い場合のパスサーチ方法において、
前記プリアンブルサーチにより検出された有効なプリアンブルパスの位置が、それぞれ規定された位置となるようにメッセージサーチ範囲を決定するメッセージサーチ範囲決定ステップと、
それぞれ対応するメッセージサーチ範囲に従って、サンプル毎に受信信号とメッセージサーチ用コードとの相関値を計算し、プリアンブルパス単位のメッセージ遅延プロファイルを生成するメッセージ遅延プロファイル生成ステップと、
前記プリアンブルパス単位のメッセージ遅延プロファイルを統合する統合ステップと、
前記統合後のメッセージ遅延プロファイルから有効なパスを抽出し、抽出したパスをメッセージ復調用パスとするメッセージパス検出ステップと、
を含むことを特徴とするパスサーチ方法。
【請求項１３】
メッセージ遅延プロファイルを生成するための範囲を示すメッセージサーチ範囲が、プリアンブル遅延プロファイルを生成するための範囲を示すプリアンブルサーチ範囲より狭い場合のパスサーチ用プログラムであって、
前記プリアンブルサーチにより検出された有効なプリアンブルパスを受け取り、当該プリアンブルパスの中で相関値が最大のパス（最大相関パス）を検出し、当該最大相関パスのパス位置が、規定された位置となるようにメッセージサーチ範囲を決定するメッセージサーチ範囲決定ステップと、
前記メッセージサーチ範囲を第一の記憶領域に記憶するメッセージサーチ範囲記憶ステップと、
前記第１の記憶領域からメッセージサーチ範囲を読み出し、当該メッセージサーチ範囲に基づいたメッセージサーチにより有効なメッセージパスを検出するメッセージパス検出ステップと、
前記各メッセージパスを第２の記憶領域に記憶するメッセージパス記憶ステップと、
前記プリアンブルパスから前記メッセージサーチ範囲のパスを除去し、当該除去後のプリアンブルパスにおいて、相関値が上位の所定数のパスを優先パスとし、その他のパスを非優先パスとするパス判別ステップと、
前記優先パスと前記非優先パスを第３の記憶領域に記憶するプリアンブルパス記憶ステップと、
前記第３の記憶領域から優先パスを読み出し、当該優先パスをメッセージ復調用のパスとし、次に第２の記憶領域からメッセージパスを読み出し、当該メッセージパスをメッセージ復調用のパスとして追加し、さらに、パス数が復調リソース数未満の場合、前記第３の記憶領域から非優先パスを読み出し、復調リソース数に達するまで、相関値が上位のパスから順次、前記非優先パスをメッセージ復調用のパスとして追加するパス決定ステップと、
前記メッセージ復調用パスを第４の記憶領域に記憶するメッセージ復調用パス記憶ステップと、
をコンピュータに実行させることを特徴とするパスサーチ用プログラム。
【発明の詳細な説明】
【技術分野】
【０００１】
この発明は、ＣＤＭＡ（Code  Division  Multiple  Access）受信装置内のパスサーチ装置に関するものであり、詳細には、メッセージサーチ範囲がプリアンブルサーチ範囲より狭い場合のパスサーチ方法に関するものである。
【背景技術】
【０００２】
以下、従来のＣＤＭＡ受信装置に含まれるパスサーチ装置について説明する。ここでは、たとえば、スペクトラム（Spread  Spectrum：ＳＳ）通信システムを構成する基地局が、移動局からのマルチパスに基づいて受信タイミングを推定するための、パスサーチ処理について説明する。
【０００３】
たとえば、ＰＲＡＣＨ(Physical  Random  Access  CHannel)において、移動局（ＵＥ：User  Equipment）は、プリアンブル（Preamble）とメッセージ（Message）を送信する。一方、基地局（ＢＴＳ：Base  Transceiver  Station）では、移動局から送信されるプリアンブル信号を検出した後、移動局から送信されるメッセージを復調する。
従来の基地局では、プリアンブル信号のマルチパスの受信タイミングを推定し（プリアンブルサーチ）、さらにメッセージ信号のマルチパスの受信タイミングも推定し（メッセージサーチ）、これらの推定結果に基づいてメッセージの復調処理を行なっている（下記特許文献１参照）。
【０００４】
下記特許文献１において、Ｗ−ＣＤＭＡ（広帯域符号分割多元接続方式）移動通信システムでは、基地局と移動局との間で無線リンクを接続する際に、まず、移動局が、下りリンクの拡散符号同期を確立し、下りリンクの第１共通制御チャネル情報の報知チャネル情報を復号してから、上りリンクでランダムアクセスチャネルを予め規定された送信タイミングで送信する。一方、基地局では、上りリンクの拡散符号同期を確立し、ランダムアクセスチャネル情報の復号を行い、上りおよび下りの無線リンクを確立する。なお、ランダムアクセス信号は、１つあるいは幾つかのプリアンブルと１つのメッセージで構成される。
【０００５】
そして、上記基地局では、プリアンブル検出時のプリアンブルパス位相を記憶し、このプリアンブル位相に基づいて、メッセージ遅延プロファイルを生成する際のサンプリング数を決定し、このサンプリング数に応じたサンプリング周期でメッセージ遅延プロファイルを生成し、このメッセージ遅延プロファイルからメッセージパス位相を検出している。
【０００６】
上記従来の基地局では、プリアンブル検出時のプリアンブルパス位相を判断基準として、メッセージ受信のサンプリング数を切り替えることにより、メッセージパス位相の検出精度を向上させている。また、上記従来の基地局では、プリアンブル検出時におけるプリアンブルパス位相近辺のサンプリング数を増やすことにより（サンプリング間隔を小さくすることにより）、処理量およびメモリ容量を大きく増加させずにメッセージパス位相検出の精度を向上させている。
【０００７】
【特許文献１】特開２００３−２１８７４０号公報
【発明の開示】
【発明が解決しようとする課題】
【０００８】
しかしながら、上記従来の受信装置においては、メッセージ遅延プロファイルの幅はプリアンブル遅延プロファイルの幅と同じであり、さらにプリアンブル検出時のプリアンブルパス位相に基づいて、メッセージ遅延プロファイル生成時のサンプリング数を増やすため、メッセージ遅延プロファイル生成処理の処理量や装置規模が大きくなる、という問題があった。
【０００９】
本発明は、上記に鑑みてなされたものであって、たとえば、メッセージサーチ範囲をプリアンブルサーチ範囲よりも小さくし、その処理量および装置規模を小さくした場合であっても、所望のパス位置を検出することが可能なパスサーチ装置およびパスサーチ方法を提供することを目的としている。
【課題を解決するための手段】
【００１０】
上述した課題を解決し、目的を達成するために、本発明にかかるパスサーチ装置にあっては、メッセージ遅延プロファイルを生成するための範囲を示すメッセージサーチ範囲が、プリアンブル遅延プロファイルを生成するための範囲を示すプリアンブルサーチ範囲より狭いパスサーチ装置であって、たとえば、前記プリアンブルサーチにより検出された有効なプリアンブルパスの中で相関値が最大のパス（最大相関パス）を検出する最大相関パス検出手段と、前記最大相関パスのパス位置が、規定された位置となるようにメッセージサーチ範囲を決定するメッセージサーチ範囲決定手段と、を備えることを特徴とする。
【発明の効果】
【００１１】
この発明によれば、たとえば、有効なプリアンブルパスの中で最も相関値が大きいパスの位置が中央となるように、メッセージサーチ範囲を決定する。これにより、メッセージ遅延プロファイル生成時のサンプリング数を減らすことができるので、処理量の低減および装置規模の縮小を実現できる。
【発明を実施するための最良の形態】
【００１２】
以下に、本発明にかかるパスサーチ装置およびパスサーチ方法の実施の形態を図面に基づいて詳細に説明する。なお、この実施の形態により本発明が限定されるものではない。
【００１３】
実施の形態１．
第１図は、ＣＤＭＡ受信機に含まれる、実施の形態１のパスサーチ装置の構成を示す図である。このパスサーチ装置は、プリアンブルサーチ用コードを発生するプリアンブルコード発生部１と、図示しないＡ／Ｄコンバータから出力される受信信号と上記プリアンブルサーチ用コードに基づいてプリアンブル遅延プロファイルを生成するプリアンブル遅延プロファイル生成部２と、プリアンブル遅延プロファイルから有効なパスを検出するプリアンブルパス検出部３と、プリアンブルパス情報に基づいてメッセージサーチ範囲を決定するメッセージサーチ範囲決定部４と、メッセージサーチ用コードを発生するメッセージコード発生部５と、メッセージサーチ範囲信号に従って、受信信号とメッセージサーチ用コードに基づいて遅延プロファイルを生成するメッセージ遅延プロファイル生成部６と、メッセージ遅延プロファイルから有効なパスを検出するメッセージパス検出部７と、有効なプリアンブルパスと有効なメッセージパスとメッセージサーチ範囲信号に基づいてメッセージ復調用パスを検出するメッセージ復調用パス検出部８と、から構成されている。
【００１４】
また、上記メッセージサーチ範囲決定部４は、プリアンブルパス情報の中から相関値が最も大きいパスを検出する最大相関パス検出部１１と、最大相関パス情報で示されるパス位置が中央となるようにメッセージサーチ範囲を決定するための信号を生成するメッセージサーチ範囲信号生成部１２と、を備えている。
【００１５】
また、メッセージ復調用パス検出部８は、有効なプリアンブルパスの中からメッセージサーチ範囲信号で示されるメッセージサーチ範囲のパスを除去するメッセージサーチ範囲除去部２１と、メッセージサーチ範囲のパスを除去後のプリアンブルパスの中で相関値が上位の所定数のパスを優先パスとして判別し、その他のパスを非優先パスとして判別する優先パス判別部２２と、所定数の優先パスと残りの非優先パスと上記有効なメッセージパスに基づいてメッセージ復調用のパスを決定するパス決定部２３と、を備えている。
【００１６】
なお、以降では、プリアンブル遅延プロファイルから有効なパス（以後、単にパスと呼ぶ）を検出することをプリアンブルサーチと呼ぶ。また、メッセージ遅延プロファイルからパスを検出することをメッセージサーチと呼ぶ。また、プリアンブル遅延プロファイルの先頭位置から最終位置までの範囲をプリアンブルサーチ範囲と呼ぶ。また、メッセージ遅延プロファイルの先頭位置から最終位置までの範囲をメッセージサーチ範囲と呼ぶ。また、検出したパスの情報（位置，相関値など）をパス情報と呼ぶ。また、メッセージ遅延プロファイルの幅を予め規定しておく。
【００１７】
つづいて、上記のように構成されるパスサーチ装置の動作について説明する。まず、受信信号と、プリアンブルコード発生部１から出力されるプリアンブルサーチ用コードが、プリアンブル遅延プロファイル生成部２に入力される。プリアンブル遅延プロファイル生成部２では、受信信号のサンプル毎に、受信信号とプリアンブルサーチ用コードとの相関値を計算し、その計算結果をプリアンブル遅延プロファイルとして出力する。
プリアンブルパス検出部３では、上記プリアンブル遅延プロファイルに基づいて、プリアンブルにおけるパスを検出し、その検出結果をプリアンブルパス情報として出力する。
【００１８】
最大相関パス検出部１１では、上記プリアンブルパス情報内で相関値が最も大きいパスを検出し、その検出結果を最大相関パス情報として出力する。また、メッセージサーチ範囲信号生成部１２では、上記最大相関パス情報で示されるパス位置が中央となるようにメッセージサーチ範囲（プリアンブルサーチ範囲より狭い）を決定するための信号を生成し、それをメッセージサーチ範囲信号として出力する。第２図は、実施の形態１のメッセージサーチ範囲決定処理の概要を示す図である。図示のとおり、ここでは、プリアンブルパス情報内で最も相関値が大きいパスの位置が中央となるようにメッセージサーチ範囲を決定している。これにより、メッセージ遅延プロファイル生成時のサンプリング数を減らすことができるので、処理量の低減および装置規模の縮小を実現できる。
【００１９】
メッセージ遅延プロファイル生成部６では、上記メッセージサーチ範囲信号に従って、受信信号のサンプル毎に、受信信号と上記メッセージサーチ用コードとの相関値を計算し、その計算結果をメッセージ遅延プロファイルとして出力する。
【００２０】
メッセージパス検出部７では、上記メッセージ遅延プロファイルに基づいて、メッセージサーチ範囲におけるパスを検出し、その検出結果をメッセージパス情報として出力する。
【００２１】
メッセージサーチ範囲除去部２１では、上記プリアンブルパス情報から上記メッセージサーチ範囲信号で示されるメッセージサーチ範囲のパスを除去し、該当するパスを除去後のプリアンブルパス情報を出力する。
【００２２】
優先パス判別部２２では、上記パス除去後のプリアンブルパス情報内で相関値が上位の所定数のパスを優先パスとし、その他のパスを非優先パスとし、それらを優先パス情報，非優先パス情報として出力する。
【００２３】
パス決定部２３では、最初に上記優先パス情報をメッセージ復調用のパスとして決定し（第３図の（１）の処理に相当）、次に上記メッセージパス情報をメッセージ復調用のパスとして追加し（第３図の（２）の処理に相当）、さらにその結果、パス数が復調リソース数未満の場合、復調リソース数に達するまで、相関値が上位のパスから順に非優先パスをメッセージ復調用のパスとして追加する（第３図の（３）の処理に相当）。そして、それらの結果をメッセージ復調用パス情報として出力する。第３図は、実施の形態１のメッセージ復調用パス検出処理の概要を示す図である。
【００２４】
最終的に、上記メッセージ復調用パス情報は、復調部（図示せず）へ入力され、ここでメッセージの復調処理が行なわれる。
【００２５】
つづいて、上記パスサーチ装置にて行われるパスサーチ処理の流れを時系列に説明する。第４図は、実施の形態１のパスサーチ処理を示すフローチャートである。
【００２６】
まず、本実施の形態のパスサーチ装置では、プリアンブルサーチを行なう（ステップＳ１、プリアンブルコード発生部１，プリアンブル遅延プロファイル生成部２，プリアンブルパス検出部３の処理に相当）。
【００２７】
つぎに、パスサーチ装置では、上記プリアンブルサーチ結果に基づいて、相関値が最も大きいパスのパス位置が中央となるようにメッセージサーチ範囲を決定する（ステップＳ２、メッセージサーチ範囲決定部４の処理に相当）。
【００２８】
つぎに、パスサーチ装置では、上記メッセージサーチ範囲でメッセージサーチを行なう（ステップＳ３、メッセージコード発生部５，メッセージ遅延プロファイル生成部６，メッセージパス検出部７の処理に相当）。
【００２９】
つぎに、パスサーチ装置では、上記プリアンブルパス情報からメッセージサーチ範囲のパスを除去し、相関値が上位の所定数のパスを優先パスとして決定し、残りのパスを非優先パスとして決定する（ステップＳ４、メッセージサーチ範囲除去部２１，優先パス判別部２２の処理に相当）。
【００３０】
最後に、パスサーチ装置では、上記優先パスをメッセージ復調用のパスとして決定し、次にメッセージパス情報をメッセージ復調用のパスとして追加する（ステップＳ５、パス決定部２３の処理に相当）。ただし、パス数が復調リソース数未満の場合は、復調リソース数に達するまで、相関値が上位のパスから順に非優先パスをメッセージ復調用のパスとして追加する。
【００３１】
上記のように、本実施の形態においては、まず、メッセージサーチ範囲を除いたプリアンブルサーチ結果から、相関値が上位の所定数のパスを抽出し、その抽出結果をメッセージ復調用パスとし、つぎに、メッセージサーチにおける検出パスをメッセージ復調用パスに追加し、さらに、プリアンブルサーチにおける残りの下位の検出パスを、相関値が上位の順にメッセージ復調用パスとすることとした。これにより、メッセージサーチ範囲をプリアンブルサーチ範囲よりも小さくし、処理量を低減し装置規模を縮小した場合であっても、パスの遅延分散によらず、所望のパス位相を検出することができる。
【００３２】
実施の形態２．
第５図は、ＣＤＭＡ受信機に含まれる、実施の形態２のパスサーチ装置の構成を示す図である。このパスサーチ装置は、前述したプリアンブルパス検出部３から出力されるプリアンブルパス情報と前述したメッセージパス検出部７から出力されるメッセージパス情報と前述したメッセージサーチ範囲決定部４から出力されるメッセージサーチ範囲信号に基づいてパス位置の変動量を推定するパス位置変動量推定部３１と、上記パス位置変動量に基づいて上記プリアンブルパス情報を補正する変動量補正部３２と、を備えている。なお、先に説明した実施の形態１の第１図と同様の構成については、同一の符号を付してその説明を省略する。ここでは、実施の形態１と異なる処理についてのみ説明する。
【００３３】
パス位置変動量推定部３１では、上記メッセージサーチ範囲信号に対応するメッセージサーチ範囲に存在するプリアンブルパス情報内で、相関値が最も大きいパスのパス位置と、前記メッセージパス情報内で相関値が最も大きいパスのパス位置と、の差分を計算し、その計算結果をパス位置変動量信号として出力する。
【００３４】
変動量補正部３２では、上記プリアンブルパス情報の各パス位置に対して上記パス位置変動量を加算し、その加算結果を変動量補正後のプリアンブルパス情報として出力する。
【００３５】
したがって、本実施の形態では、メッセージ復調用パス検出部８が、変動量補正後のプリアンブルパス情報とメッセージパス情報とメッセージサーチ範囲信号に基づいて、メッセージ復調用パスを検出することになる。
【００３６】
つづいて、上記パスサーチ装置にて行われるパスサーチ処理の流れを時系列に説明する。第６図は、実施の形態２のパスサーチ処理を示すフローチャートである。ここでは、実施の形態１の第４図と異なる処理についてのみ説明する。
【００３７】
本実施の形態のパスサーチ装置では、先に説明したステップＳ１〜Ｓ３の処理を実行後、メッセージサーチ範囲に存在するプリアンブルパス情報内で、相関値が最も大きいパスのパス位置と、メッセージパス情報内で相関値が最も大きいパスのパス位置と、の差分をパス位置変動量として推定する（ステップＳ１１、パス位置変動量推定部３１の処理に相当）。
【００３８】
つぎに、パスサーチ装置では、上記プリアンブルパス情報の各パス位置に対してパス位置変動量を加算することにより、プリアンブルパス情報のパス位置を補正する（ステップＳ１２、変動量補正部３２の処理に相当）。その後、パスサーチ処理では、実施の形態１と同様の手順でステップＳ４，Ｓ５を実行する。
【００３９】
以上のように、本実施の形態においては、実施の形態１と同様の効果が得られるとともに、さらに、プリアンブルとメッセージとの間でパス位置が変動するような伝搬路であっても、所望のパス位相を検出することができる。
【００４０】
実施の形態３．
以上の実施の形態では、プリアンブルパス情報内で最も相関値が大きいパスの位置が中央となるようにメッセージサーチ範囲を決定する構成としたが、実施の形態３では、プリアンブルパス情報に基づいてメッセージサーチ範囲決定用しきい値を決定し、そのメッセージサーチ範囲決定用しきい値を超えるパスに基づいて、最大パス位置と最小パス位置の中央位置が中央となるように、メッセージサーチ範囲を決定する。
【００４１】
第７図は、実施の形態３のメッセージサーチ範囲決定部４ａの構成を示す図であり、第８図は、実施の形態３のメッセージサーチ範囲決定処理の概要を示す図である。
【００４２】
このメッセージサーチ範囲決定部４ａは、前述した最大相関パス検出部１１，メッセージサーチ範囲信号生成部１２の他に、最大相関パス検出部１１から出力される最大相関パス情報に基づいてしきい値を決定するしきい値決定部４１と、プリアンブルパス検出部３から出力されるプリアンブルパス情報と上記しきい値とを比較するしきい値判定部４２と、しきい値判定後のプリアンブルパス情報に基づいて最大パス位置と最小パス位置の中央位置を検出する中央位置検出部４３を備えている。なお、メッセージサーチ範囲決定部４ａ以外のパスサーチ装置の構成については、前述した実施の形態１（第１図）と同様である。ここでは、実施の形態１と異なる処理についてのみ説明する。
【００４３】
しきい値決定部４１では、上記最大相関パス情報で示される相関値に所定の係数（＜１）を乗じ、その乗算結果をしきい値として出力する。
しきい値判定部４２では、上記プリアンブルパス情報と上記しきい値とを比較し、相関値がしきい値を超えるパスを検出し、その検出結果をしきい値判定後のプリアンブルパス情報として出力する。
【００４４】
中央位置検出部４３では、上記しきい値判定後のプリアンブルパス情報内で相関値が最大となるパスの位置を最大パス位置とし、相関値が最小となるパスの位置を最小パス位置とし、その後、「（最大パス位置―最小パス位置）／２」の演算処理を行い、その演算結果を中央位置信号として出力する。
【００４５】
つづいて、上記パスサーチ装置にて行われるパスサーチ処理の流れを時系列に説明する。第９図は、実施の形態３のパスサーチ処理を示すフローチャートである。ここでは、実施の形態１の第４図と異なる処理についてのみ説明する。
【００４６】
本実施の形態のパスサーチ装置では、先に説明したステップＳ１の処理を実行後、プリアンブルパス情報内の最大相関値に対して所定の係数を乗じ、その乗算結果を超えるパスを用いて「（最大パス位置−最小パス位置）／２」を演算し、その演算結果で示される位置が中央となるようにメッセージサーチ範囲を決定する（ステップＳ２１、しきい値決定部４１，しきい値判定部４２，中央位置検出部４３の処理に相当）。その後、パスサーチ処理では、実施の形態１と同様の手順でステップＳ３，Ｓ４，Ｓ５を実行する。
【００４７】
以上のように、本実施の形態においては、プリアンブルパス情報に基づいてメッセージサーチ範囲決定用しきい値を決定し、そのメッセージサーチ範囲決定用しきい値を超えるパスに基づいて、最大パス位置と最小パス位置の中央位置が中央となるようにメッセージサーチ範囲を決定する構成とした。一般に、遅延プロファイルは、最大相関位置を先頭に単調減少となる傾向となるため、この構成により、より多くのパス位置に対するメッセージサーチ処理が可能となり、結果としてメッセージ復調性能を向上させることができる。
【００４８】
なお、実施の形態３では、前述した実施の形態１の構成にしきい値決定部４１，しきい値判定部４２，中央位置検出部４３を追加する構成としたが、これに限らず、たとえば、前述した実施の形態２に追加する構成としても同様の効果が得られる。
【００４９】
実施の形態４．
第１０図は、実施の形態４のメッセージ復調用パス検出部８ａの構成を示す図であり、第１１図は、実施の形態４のメッセージ復調用パス検出処理の概要を示す図である。
【００５０】
このメッセージ復調用パス検出部８ａは、前述したメッセージパス検出部７から出力されるメッセージパス情報に対して補正処理を行う補正部５１と、前述したメッセージサーチ範囲信号生成部１２から出力されるメッセージサーチ範囲内のプリアンブルパス情報を、補正部５１から出力される補正後のメッセージパス情報に差し替える差し替え部５２と、差し替え後のパス情報をソートするソート部５３と、ソート後のパス情報からパスを検出するパス抽出部５４と、を備えている。なお、メッセージ復調用パス検出部８ａ以外のパスサーチ装置の構成については、前述した実施の形態１（第１図）と同様である。ここでは、実施の形態１と異なる処理についてのみ説明する。
【００５１】
補正部５１では、上記メッセージパス情報に対して補正処理を行い、補正後のメッセージパス情報を出力する。ここで、この補正処理を詳細に説明する。
【００５２】
一般に、プリアンブル信号レベルとメッセージに含まれる同期用信号レベルは異なる。また、プリアンブル信号レベルとメッセージに含まれる同期用信号レベルが等しい場合であっても、プリアンブル遅延プロファイル生成部２とメッセージ遅延プロファイル生成部６の構成によっては、プリアンブル遅延プロファイルレベルとメッセージ遅延プロファイルレベルが異なってくる。そのため、単純に、メッセージサーチ範囲に対応するプリアンブルパス情報を、メッセージパス情報に差し替えてパス検出処理を行うと、所望のパス位置を正しく検出することができない場合がある。
【００５３】
したがって、たとえば、プリアンブル信号レベルとメッセージに含まれる同期用信号レベルの比をＲｓ（＝プリアンブル信号レベル／メッセージに含まれる同期用信号レベル）とし、プリアンブル遅延プロファイル生成部２とメッセージ遅延プロファイル生成部６の構成の違いによるプリアンブル遅延プロファイルレベルとメッセージ遅延プロファイルレベルの比をＲｄ（＝プリアンブル遅延プロファイルレベル／メッセージ遅延プロファイルレベル）とした場合、補正部５１では、メッセージパス情報における各パスの相関値を「Ｒｓ×Ｒｄ」倍し、その結果を補正後のメッセージパス情報とする（第１１図の（１）の処理に相当）。
【００５４】
差し替え部５２では、上記メッセージサーチ範囲信号で示されるメッセージサーチ範囲に存在する上記プリアンブルパス情報を、上記補正後のメッセージパス情報に差し替え、その結果を差し替え後のパス情報として出力する（第１１図の（２）の処理に相当）。
ソート部５３では、上記差し替え後のパス情報を相関値順に並べ替え、その結果をソート後のパス情報として出力する。
【００５５】
パス抽出部５４では、上記ソート後のパス情報における相関値が大きいパスから順にメッセージ復調用パスとして決定する（第１１図の（３）に相当）。第１１図の（３）は、たとえば、復調リソース数を８とした場合を示している。
【００５６】
つづいて、上記パスサーチ装置にて行われるパスサーチ処理の流れを時系列に説明する。第１２図は、実施の形態４のパスサーチ処理を示すフローチャートである。ここでは、実施の形態１の第４図と異なる処理についてのみ説明する。
【００５７】
本実施の形態のパスサーチ装置では、先に説明したステップＳ１〜Ｓ３の処理を実行後、プリアンブル信号レベルとメッセージに含まれる同期用信号のレベルとの比、プリアンブル遅延プロファイル生成部２とメッセージ遅延プロファイル生成部６の違いによるレベルの比、に基づいてメッセージパス情報を補正する（ステップＳ３１、補正部５１の処理に相当）。
【００５８】
つぎに、パスサーチ装置では、メッセージサーチ範囲信号で示されるメッセージサーチ範囲のプリアンブルパスを、補正後のメッセージパス情報に差し替える（ステップＳ３２、差し替え部５２の処理に相当）。
【００５９】
つぎに、パスサーチ装置では、差し替え後のパス情報を相関値準に並べ替える（ステップＳ３３、ソート部５３の処理に相当）。
【００６０】
最後に、パスサーチ装置では、相関値が上位のパスから順にメッセージ復調用のパスとする（ステップＳ３４、パス抽出部５４の処理に相当）。
【００６１】
以上のように、本実施の形態においては、メッセージサーチ範囲に対応するプリアンブルパス情報内のパスを、上記補正後のメッセージパス情報と差し替えて、パス検出処理を行う構成とした。これにより、プリアンブル信号レベルとメッセージに含まれる同期用信号レベルが異なる場合であっても、また、プリアンブル遅延プロファイル生成部とメッセージ遅延プロファイル生成部の構成によってプリアンブル遅延プロファイルレベルとメッセージ遅延プロファイルレベルが異なる場合であっても、所望のパス位置を正しく検出することができる。
【００６２】
なお、実施の形態４では、前述した実施の形態１のメッセージ復調用パス検出部８をメッセージ復調用パス検出部８ａに置き換えた構成としたが、これに限らず、たとえば、前述した実施の形態２または実施の形態３のメッセージ復調用パス検出部８と置き換えた場合であっても同様の効果が得られる。
【００６３】
実施の形態５．
第１３図は、ＣＤＭＡ受信機に含まれる、実施の形態５のパスサーチ装置の構成を示す図である。このパスサーチ装置は、プリアンブルパス検出部３から出力されるプリアンブルパス情報に基づいてメッセージサーチ範囲を決定するメッセージサーチ範囲決定部６１と、上記メッセージサーチ範囲信号に従って、受信信号とメッセージサーチ用コードに基づいて遅延プロファイルを生成するメッセージ遅延プロファイル生成部６２−１〜６２−Ｎ（Ｎは２以上の整数）と、Ｎ個のメッセージパス情報を統合する統合部６３と、を備えている。なお、先に説明した実施の形態１の第１図と同様の構成については、同一の符号を付してその説明を省略する。ここでは、実施の形態１と異なる処理についてのみ説明する。
【００６４】
メッセージサーチ範囲決定部６１では、プリアンブルパス情報から相関値の大きさが上位Ｎ個のパスを抽出し、各パスの位置がそれぞれ対応するメッセージ遅延プロファイル生成部（６２−１，６２−２，…，６２−Ｎ）で生成される遅延プロファイルの中央となるように、メッセージサーチ範囲を決定するための第１〜第Ｎのメッセージサーチ範囲信号を出力する。
【００６５】
メッセージ遅延プロファイル生成部６２−１〜６２−Ｎでは、それぞれ対応するメッセージサーチ範囲信号に従って、受信信号のサンプル毎に、受信信号とメッセージサーチ用コードとの相関値を計算し、それらの計算結果をそれぞれ第１〜第Ｎのメッセージ遅延プロファイルとして出力する。
【００６６】
統合部６３では、上記第１〜第Ｎのメッセージ遅延プロファイルを統合し、その統合結果を統合後のメッセージ遅延プロファイルとして出力する。
【００６７】
メッセージパス検出部７では、上記統合後のメッセージ遅延プロファイルからパスを抽出し、抽出したパスをメッセージ復調用パスとして出力する。
【００６８】
つづいて、上記パスサーチ装置にて行われるパスサーチ処理の流れを時系列に説明する。第１４図は、実施の形態５のパスサーチ処理を示すフローチャートである。ここでは、実施の形態１の第４図と異なる処理についてのみ説明する。
【００６９】
本実施の形態のパスサーチ装置では、先に説明したステップＳ１の処理を実行後、プリアンブルパス情報から相関値の大きさが上位Ｎ個のパスを抽出し、各パスのパス位置がそれぞれのメッセージ遅延プロファイルの中央となるように、Ｎ個のメッセージサーチ範囲を決定する（ステップＳ４１、メッセージサーチ範囲決定部６１の処理に相当）。
【００７０】
つぎに、パスサーチ装置では、上記各メッセージサーチ範囲においてメッセージサーチを行なう（ステップＳ４２、メッセージ遅延プロファイル生成部６２−１〜６２−Ｎの処理に相当）。
【００７１】
最後に、パスサーチ装置では、上記メッセージサーチ結果に基づいて、相関値が上位のパスから順次、メッセージ復調用パスを決定する（ステップＳ４３、メッセージパス検出部７の処理に相当）。
【００７２】
なお、上記の説明では第１〜第Ｎのメッセージサーチ範囲信号に対応したメッセージサーチ処理を行うこととしたが、これに限らず、たとえば、第１〜第Ｍ（２≦Ｍ＜Ｎ）のメッセージサーチ範囲信号に対応したメッセージサーチ処理を行うこととしてもよい。
【００７３】
以上のように、本実施の形態においては、Ｎ個のメッセージ遅延プロファイル生成部を設け、プリアンブルパス検出部で検出されたパス位置を中央とするメッセージサーチ範囲を対象に、メッセージサーチ処理を行う構成とした。これにより、所望のパス位相を検出することができる。
【００７４】
なお、以上のすべての実施の形態においては、最大相関パス情報のパス位置または検出されたパス位置を中央（最大パス位置と最小パス位置の中央位置を中央とする場合も含む）とするようにメッセージサーチ範囲を決定していたが、これに限らず、最大相関パス情報のパス位置または検出されたパス位置が中央以外の特定の位置になるように、すなわち、各実施の形態以外の方法により規定される位置になるように、メッセージサーチ範囲を決定することとしてもよい。
【００７５】
また、第１５図は、上述した実施の形態１〜５のパスサーチ処理を実現可能なパスサーチ装置のハードウェア構成を示す図である。このパスサーチ装置は、たとえば、ＣＰＵを含む制御ユニット１０１と、メモリユニット１０２と、ＣＤ−ＲＯＭドライブユニット１０３と、ディスクユニット１０４と、を備え、これらの各ユニットは、それぞれシステムバスＡを介して接続されている。第１５図において、制御ユニット１０１は、上記実施の形態１〜５のパスサーチ処理を実行する。また、メモリユニット１０２は、ＲＡＭ，ＲＯＭ等のメモリを含み、制御ユニット１０１が実行すべきプログラム，処理の過程で得られたデータ等を記憶する。また、図示のＣＤ−ＲＯＭ２００には、上記パスサーチ処理を記述したプログラムが格納されており、ＣＤ−ＲＯＭ２００から上記プログラムがディスクユニット１０４にインストールされ、そして、ディスクユニット１０４から読み出されたプログラムが、メモリユニット１０２に格納される。この状態で、制御ユニット１０１は、メモリユニット１０２に格納されたプログラムにしたがって、上記実施の形態１〜５のパスサーチ処理を実行することができる。
【００７６】
なお、本発明においては、ＣＤ−ＲＯＭ２００にて上記実施の形態１〜５のパスサーチ処理を記述したプログラムを提供しているが、このプログラムの記録媒体は、これに限定されることなく、たとえば、フロッピー（登録商標）ディスク等の磁気ディスク，光磁気ディスク，磁気テープ等の他の記録媒体を用いることも可能である。また、このプログラムは、予めディスクユニット１０４に記録されたものであってもよい。
【産業上の利用可能性】
【００７７】
以上のように、本発明にかかるパスサーチ装置およびパスサーチ方法は、ＣＤＭＡ受信装置で用いるパスサーチ装置およびパスサーチ方法として有用であり、特に、処理量低減および小型化を図るＣＤＭＡ受信装置に適している。
【図面の簡単な説明】
【００７８】
【図１】第１図は、実施の形態１のパスサーチ装置の構成を示す図である。
【図２】第２図は、実施の形態１のメッセージサーチ範囲決定処理の概要を示す図である。
【図３】第３図は、実施の形態１のメッセージ復調用パス検出処理の概要を示す図である。
【図４】第４図は、実施の形態１のパスサーチ処理を示すフローチャートである。
【図５】第５図は、実施の形態２のパスサーチ装置の構成を示す図である。
【図６】第６図は、実施の形態２のパスサーチ処理を示すフローチャートである。
【図７】第７図は、実施の形態３のメッセージサーチ範囲決定部４ａの構成を示す図である。
【図８】第８図は、実施の形態３のメッセージサーチ範囲決定処理の概要を示す図である。
【図９】第９図は、実施の形態３のパスサーチ処理を示すフローチャートである。
【図１０】第１０図は、実施の形態４のメッセージ復調用パス検出部８ａの構成を示す図である。
【図１１】第１１図は、実施の形態４のメッセージ復調用パス検出処理の概要を示す図である。
【図１２】第１２図は、実施の形態４のパスサーチ処理を示すフローチャートである。
【図１３】第１３図は、実施の形態５のパスサーチ装置の構成を示す図である。
【図１４】第１４図は、実施の形態５のパスサーチ処理を示すフローチャートである。
【図１５】第１５図は、パスサーチ装置のハードウェア構成を示す図である。
【図１】
0004361086.tif 000002
【図２】
0004361086.tif 000003
【図３】
0004361086.tif 000004
【図４】
0004361086.tif 000005
【図５】
0004361086.tif 000006
【図６】
0004361086.tif 000007
【図７】
0004361086.tif 000008
【図８】
0004361086.tif 000009
【図９】
0004361086.tif 000010
【図１０】
0004361086.tif 000011
【図１１】
0004361086.tif 000012
【図１２】
0004361086.tif 000013
【図１３】
0004361086.tif 000014
【図１４】
0004361086.tif 000015
【図１５】
0004361086.tif 000016